【手続補正書】
【提出日】平成19年11月15日(2007.11.15)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】特許請求の範囲
【補正方法】変更
【補正の内容】
【特許請求の範囲】
【請求項１】  所定サイズの原稿を第１解像度で読み取る第１モード、または前記所定サイズの原稿を前記第１解像度の１／２に相当する第２解像度で読み取る第２モードを実行可能な、原稿読み取り手段と、
前記原稿読み取り手段で得られた画像信号に水平および垂直方向のウェーブレット変換を施すことにより、各成分ＬＬ１、ＬＨ１、ＨＬ１、ＨＨ１、…、ＬＨｎ、ＨＬｎ、ＨＨｎ（ｎは元の画像信号に水平および垂直方向のウェーブレット変換を施す回数に相当する変数）を取得して各成分をエントロピー符号化する符号化手段とを備え、
前記符号化手段は、前記原稿読み取り手段が前記第１モードを実行することにより得られた画像信号については、前記ウェーブレット変換により各成分ＬＬ１、ＬＨ１、ＨＬ１、ＨＨ１、…、ＬＨｍ、ＨＬｍ、ＨＨｍ（ｍは元の画像信号に水平および垂直方向のウェーブレット変換を施す回数に相当する定数）を取得して各成分をエントロピー符号化するのに対し、前記原稿読み取り手段が前記第２モードを実行することにより得られた画像信号については、前記ウェーブレット変換により各成分ＬＬ１、ＬＨ１、ＨＬ１、ＨＨ１、…、ＬＨ（ｍ−１）、ＨＬ（ｍ−１）、ＨＨ（ｍ−１）を取得して各成分をエントロピー符号化することを特徴とする画像処理装置。
【請求項２】  前記第１の解像度は６００ｄｐｉであり、前記第２の解像度は３００ｄｐｉであることを特徴とする請求項１に記載の画像処理装置。
【請求項３】  更に、前記原稿読み取り手段は、前記所定サイズの原稿を前記第１解像度の１／４に相当する第３解像度で読み取る第３モードを実行可能であり、前記符号化手段は、前記原稿読み取り手段が前記第３モードを実行することにより得られた画像信号については、前記ウェーブレット変換により各成分ＬＬ１、ＬＨ１、ＨＬ１、ＨＨ１、…、ＬＨ（ｍ−２）、ＨＬ（ｍ−２）、ＨＨ（ｍ−２）を取得して各成分をエントロピー符号化することを特徴とする請求項１に記載の画像処理装置。
【請求項４】  更に、前記原稿読み取り手段は、前記所定サイズの１／４サイズの原稿を第１解像度で読み取る第４モードを実行可能であり、前記符号化手段は、前記原稿読み取り手段が前記第４モードを実行することにより得られた画像信号については、前記ウェーブレット変換により各成分ＬＬ１、ＬＨ１、ＨＬ１、ＨＨ１、…、ＬＨ（ｍ−１）、ＨＬ（ｍ−１）、ＨＨ（ｍ−１）を取得して各成分をエントロピー符号化することを特徴とする請求項１に記載の画像処理装置。
【請求項５】  所定サイズの原稿を第１解像度で読み取る第１モード、または前記所定サイズの原稿を前記第１解像度の１／２に相当する第２解像度で読み取る第２モードを実行する、原稿読み取りステップと、
前記原稿読み取りステップで得られた画像信号に水平および垂直方向のウェーブレット変換を施すことにより、各成分ＬＬ１、ＬＨ１、ＨＬ１、ＨＨ１、…、ＬＨｎ、ＨＬｎ、ＨＨｎ（ｎは元の画像信号に水平および垂直方向のウェーブレット変換を施す回数に相当する変数）を取得して各成分をエントロピー符号化する符号化ステップとを備え、
前記符号化ステップは、前記原稿読み取りステップが前記第１モードを実行することにより得られた画像信号については、前記ウェーブレット変換により各成分ＬＬ１、ＬＨ１、ＨＬ１、ＨＨ１、…、ＬＨｍ、ＨＬｍ、ＨＨｍ（ｍは元の画像信号に水平および垂直方向のウェーブレット変換を施す回数に相当する定数）を取得して各成分をエントロピー符号化するのに対し、前記原稿読み取りステップが前記第２モードを実行することにより得られた画像信号については、前記ウェーブレット変換により各成分ＬＬ１、ＬＨ１、ＨＬ１、ＨＨ１、…、ＬＨ（ｍ−１）、ＨＬ（ｍ−１）、ＨＨ（ｍ−１）を取得して各成分をエントロピー符号化すること
を特徴とする画像処理方法。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、上記課題に鑑みて成されたものであり、サブバンド符号化後の画像データの取り扱いの便宜を図った画像処理装置または方法等を提供することを目的とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
【課題を解決するための手段】
上記目的を達成するために、本発明の画像処理装置によれば、所定サイズの原稿を第１解像度で読み取る第１モード（例えば本実施例におけるＡモードに相当）、または前記所定サイズの原稿を前記第１解像度の１／２に相当する第２解像度で読み取る第２モード（例えば本実施例における１Ｂモードに相当）を実行可能な、原稿読み取り手段と、前記原稿読み取り手段で得られた画像信号に水平および垂直方向のウェーブレット変換を施すことにより、各成分ＬＬ１、ＬＨ１、ＨＬ１、ＨＨ１、…、ＬＨｎ、ＨＬｎ、ＨＨｎ（ｎは元の画像信号に水平および垂直方向のウェーブレット変換を施す回数に相当する変数）を取得して各成分をエントロピー符号化する符号化手段とを備え、前記符号化手段は、前記原稿読み取り手段が前記第１モードを実行することにより得られた画像信号については、前記ウェーブレット変換により各成分ＬＬ１、ＬＨ１、ＨＬ１、ＨＨ１、…、ＬＨｍ、ＨＬｍ、ＨＨｍ（ｍは元の画像信号に水平および垂直方向のウェーブレット変換を施す回数に相当する定数）を取得して各成分をエントロピー符号化するのに対し、前記原稿読み取り手段が前記第２モードを実行することにより得られた画像信号については、前記ウェーブレット変換により各成分ＬＬ１、ＬＨ１、ＨＬ１、ＨＨ１、…、ＬＨ（ｍ−１）、ＨＬ（ｍ−１）、ＨＨ（ｍ−１）を取得して各成分をエントロピー符号化することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００７５
【補正方法】変更
【補正の内容】
【００７５】
次に、本件実施例の各動作モードについて図１４を用いて説明する。図１４において、Ａは所定サイズの原稿（例えば、Ａ４の原稿）全面を６００ｄｐｉで読み取るモード、１Ｂは同じく所定サイズの原稿全面を３００ｄｐｉで読み取るモード、１Ｃは同じく所定サイズの原稿全面を１５０ｄｐｉで読み取るモード、Ｄは同じく所定サイズの原稿全面を７５ｄｐｉで読み取るモードを示している。モード２Ｂは上記所定サイズの１／４のサイズの原稿全面を６００ｄｐｉで読み取るモード、２Ｃは上記所定サイズの１／１６のサイズの原稿全面を６００ｄｐｉで読み取るモードを示している。尚、本明細書においては説明の簡単のためすべての動作モードにおける倍率を１００％であるものとして説明する。
【手続補正１２】
【補正対象書類名】明細書
【補正対象項目名】００９１
【補正方法】変更
【補正の内容】
【００９１】
次に、２Ｂモード及び２Ｃモードについて説明する。先に述べた様にモード２Ｂは上記所定サイズの１／４のサイズの原稿全面を６００ｄｐｉで読み取るモード、２Ｃは上記所定サイズの１／１６のサイズの原稿全面を６００ｄｐｉで読み取るモードである。
【手続補正１３】
【補正対象書類名】明細書
【補正対象項目名】００９７
【補正方法】変更
【補正の内容】
【００９７】
また、上述の実施例においては説明の簡単のため、スキャナから読み取られる画像のサイズは限られたサイズとし、また、その解像度も６００ｄｐｉ、３００ｄｐｉなど限られた解像度の場合についてのみ説明しているが、任意のサイズで且つ任意の解像度のデジタル画像をも本件発明の思想にしたがって取り扱うことが可能である。即ち、解像度やサイズの比が２のべき乗ではない場合においては最終的なＬＬ成分の解像度やサイズの比を１：２未満になるように離散ウエーブレット変換のレベル数を設定することによって上述の実施例と同様の効果が期待できる。
【手続補正１４】
【補正対象書類名】明細書
【補正対象項目名】０１０４
【補正方法】変更
【補正の内容】
【０１０４】
水平方向および垂直方向共に画素数が１２８以上ある場合にはステップＳ５４に進み、水平方向もしくは垂直方向のいずれかの画素数が２５６未満であるか否かを確認する。また、それ以上の解像度もしくはサイズの原稿であっても、図３におけるステップＳ３８において画像をクロップした場合に発生する。この場合には、１レベルのみＤＷＴを行い、その後量子化およびエントロピー符号化を行うモードＩＩＩが選択される（ステップＳ５６）。
【手続補正１５】
【補正対象書類名】明細書
【補正対象項目名】０１０６
【補正方法】変更
【補正の内容】
【０１０６】
同様に、ステップ５８においては、水平方向もしくは垂直方向のいずれかの画素数が５１２未満であるか否かを確認する。この場合には、２レベルのみＤＷＴを行い、その後量子化およびエントロピー符号化を行うモードＩＩが選択される（ステップＳ６０）。
【手続補正１６】
【補正対象書類名】明細書
【補正対象項目名】０１０８
【補正方法】変更
【補正の内容】
【０１０８】
ステップＳ５８において、垂直方向、水平方向のいずれについても５１２画素以上存在すると認識された場合には、モードＩに設定される。
【手続補正１７】
【補正対象書類名】明細書
【補正対象項目名】０１１０
【補正方法】削除
【補正の内容】
【手続補正１８】
【補正対象書類名】明細書
【補正対象項目名】０１１１
【補正方法】削除
【補正の内容】
【手続補正１９】
【補正対象書類名】明細書
【補正対象項目名】０１１３
【補正方法】変更
【補正の内容】
【０１１３】
【発明の効果】
以上、説明したように本発明によれば、異なる解像度で原稿を読み取り、ウェーブレット変換を用いて階層符号化を行った場合においても、それらの符号化データから同様の解像度の復元画像を容易に得ることができる。更に、異なるサイズの原稿を同じ解像度で読み取り、ウェーブレット変換を用いて階層符号化を行った場合においても、それらの符号化データから同様の解像度の復元画像を容易に得ることができる。